(57)【要約】【課題】壁面フック１を取り替えることなく、そのデザインを変更できるようにする。【解決手段】壁面Ｗに対し接離する方向に延びる軸部１ａと、軸部１ａの両側部に設けられ、軸部１ａよりも大径の先端側及び基端側フランジ部１ｂ，１ｃと、を有し、建物の壁面Ｗに取付固定された壁面フック１に引っ掛けられて壁面フック１を覆うフックカバー１０であって、壁面フック１とデザインの異なるフックカバー本体１１と、フックカバー本体１１の裏面に取り付けられ、壁面フック１の軸部１ａに引っ掛けられる引掛部材１２と、を備える。【選択図】図３
2020018441.tif 000002
【特許請求の範囲】
【請求項１】
建物の壁面に取付固定されている壁面フックに引っ掛けられて該壁面フックを覆うフックカバーであって、
前記壁面フックと異なるフックカバー本体と、
前記フックカバー本体の裏面に取り付けられ、前記壁面フックに引っ掛けられる引掛部材と、を備えた
ことを特徴とするフックカバー。
【請求項２】
請求項１に記載のフックカバーにおいて、
前記壁面フックは、前記壁面に対し接離する方向に延びる軸部と、該軸部の長さ方向両側部に設けられ、軸部よりも大径の先端側及び基端側フランジ部と、を有し、
前記引掛部材が前記軸部に引っ掛けられている
ことを特徴とするフックカバー。
【請求項３】
請求項２に記載のフックカバーにおいて、
前記フックカバー本体の裏面には、前記壁面フックの前記先端側フランジ部の少なくとも一部を収納可能な凹部が設けられている
ことを特徴とするフックカバー。
【請求項４】
請求項１〜３のいずれか１項に記載のフックカバーにおいて、
前記フックカバー本体は表面側又は下側にフック部をさらに備える
ことを特徴とするフックカバー。
【請求項５】
請求項１〜４に記載のフックカバーにおいて、
前記フックカバー本体は、表面に動物又は動物の一部を模した装飾が施されている
ことを特徴とするフックカバー。
【請求項６】
請求項５に記載のフックカバーにおいて、
前記フック部は、前記フックカバー本体に装飾として施された動物の一部を模している
ことを特徴とするフックカバー。
【請求項７】
請求項２〜６のいずれか１項に記載のフックカバーにおいて、
前記引掛部材が前記壁面フックの前記軸部に上側から跨ぐように引っ掛けられる
ことを特徴とするフックカバー。
【請求項８】
請求項４〜７のいずれか１項に記載のフックカバーにおいて、
前記フック部の先端部は、前記フックカバー本体の表面から１０ｍｍ以上５０ｍｍ以下の距離に位置する
ことを特徴とするフックカバー。
【請求項９】
請求項２〜８のいずれか１項に記載のフックカバーにおいて、
前記フックカバー本体及び前記引掛部材は、共に板面が前記壁面フックの前記軸部の軸方向と垂直な板状に形成されており、前記引掛部材の厚さは、前記壁面フックの前記軸部の長さよりも小さく、
前記フックカバーは、その表面側からみたとき、前記壁面フックを完全に覆う大きさであり、且つ、高さが８０ｍｍ以下、幅が５０ｍｍ以下である
ことを特徴とするフックカバー。
【請求項１０】
請求項２〜９のいずれか１項に記載のフックカバーにおいて、
前記フックカバー本体の裏面の前記凹部には、緩衝材が設けられている
ことを特徴とするフックカバー。
【請求項１１】
請求項１〜１０のいずれか１項に記載のフックカバーが、前記壁面フックに取り付けられたことを特徴とするフックカバーの取付構造。
【発明の詳細な説明】
【技術分野】
【０００１】
本発明は、壁面に取り付けられた壁面フックを覆うフックカバーとその取付構造に関する。
【背景技術】
【０００２】
従来より、建物の壁面を収納領域等として利用する技術として、例えば特許文献１に示されるものが提案されている。
【０００３】
特許文献１の壁掛けタイプのマガジンラックでは、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにしている。
【０００４】
特許文献１のマガジンラックは、設置するためにネジ等で壁面に穴をあけることとなり、マガジンラックが一旦取り付けられると、それらを取り外した後にも壁に穴があいたままとなるので、取り外した後に建物の美観が損なわれてしまう。それを避けるには、壁面にあいた穴を元通りに埋める修復工事が必要となる。
【０００５】
そこで、本発明の出願人は、特許文献２において、建物の美観を保ちつつ、その建物の一部である壁などに、その壁などの建物の一部を多様な用途に利用するために、建物の施工時に壁などに挿入しておくことができるインサート部材と、物を引っ掛けるためのフック部材（以下、壁面フックという）とを分離できるようにしたハンガーフックを提案している。
【先行技術文献】
【特許文献】
【０００６】
【特許文献１】特開平１１−１５５６５８号公報
【特許文献２】特願２０１７−２５４５０８明細書及び図面
【発明の概要】
【発明が解決しようとする課題】
【０００７】
ところで、上記の壁面フックを壁面に取り付けて使用する場合、壁面フックのデザインを変えて、壁面の見映えを変えたい使用状況が想定される。しかし、特許文献２では、壁面フックのデザインを変える場合には、新たなデザインの壁面フックを別途に製造する必要がある。また、壁面フックを異なるデザインのものに取り替えた場合、元の壁面フックを別途保管しなければならず、元の壁面フックを紛失してしまう虞がある。
【０００８】
本発明は、斯かる点に鑑みてなされたものであり、その目的は、壁面フックを取り替えることなく、壁面フックのデザインを変更できるようにすることである。
【課題を解決するための手段】
【０００９】
上記の目的を達成するために、この発明では、壁面フックとは見た目の異なるフックカバーを、壁面フックに引っ掛けることができるようにした。
【００１０】
具体的には、第１の発明は、建物の壁面に取付固定されている壁面フックに引っ掛けられて該壁面フックを覆うフックカバーであって、前記壁面フックと異なるフックカバー本体と、前記フックカバー本体の裏面に取り付けられ、前記壁面フックに引っ掛けられる引掛部材と、を備えたことを特徴とする。
【００１１】
この第１の発明では、壁面フックと異なるフックカバー本体を備えるフックカバーを壁面フックに引っ掛けることができるので、壁面フックのデザインを変えるときには、壁面フックを壁面に取り付けたままで、その壁面フックにフックカバーを取り付けるだけでよく、壁面フックを取り替えることなく、壁面フックのデザインを変更できる。また、壁面フックを壁面から取り外して保管する必要がないので、壁面フックを紛失する虞もない。
【００１２】
第２の発明は、第１の発明において、前記壁面フックは、前記壁面に対し接離する方向に延びる軸部と、該軸部の長さ方向両側部に設けられ、軸部よりも大径の先端側及び基端側フランジ部と、を有し、前記引掛部材が前記軸部に引っ掛けられていることを特徴とする。
【００１３】
この第２の発明では、壁面フックが軸部を有し、フックカバーの引掛部材がこの軸部に引っ掛けられるので、フックカバーを容易に壁面フックに引っ掛けることができる。また、壁面フックが軸部の先端側部に設けられた軸部より大径の先端側フランジ部を有するので、この先端側フランジ部がストッパーとなって、引掛部材の軸部への引っ掛かりが外れるのを防ぐことができる。すなわち、フックカバーが壁面フックから落下するのを防ぐことができる。
【００１４】
第３の発明は、第２の発明において、前記フックカバー本体の裏面には、前記壁面フックの前記先端側フランジ部の少なくとも一部を収納可能な凹部が設けられていることを特徴とする。
【００１５】
この第３の発明では、フックカバー本体の裏面に、壁面フックの先端側フランジ部の少なくとも一部を収納可能な凹部が設けられているので、フックカバーを壁面フックに引っ掛けた際に、先端側フランジ部の少なくとも一部が収容される収納空間を確保できる。その結果、フックカバー本体を凹部の深さの分だけ壁面に近づけて配置することができ、壁面の美観を保つことができる。
【００１６】
第４の発明は、第１〜第３のいずれか１つの発明において、前記フックカバー本体は表面側又は下側にフック部をさらに備えることを特徴とする。
【００１７】
この第４の発明では、フックカバー本体がフック部を備えるので、壁面フックにフックカバーを引っ掛けた状態でも、そのフック部に物を吊り下げ又は引っ掛けて使用することができる。
【００１８】
第５の発明は、第１〜第４のいずれかの発明において、前記フックカバー本体は、表面に動物を模した装飾が施されていることを特徴とする。
【００１９】
この第５の発明では、フックカバー本体は、表面に動物又は動物の一部を模した装飾が施されているので、壁面フックを可愛くて楽しいデザインにすることができる。
【００２０】
第６の発明は、第５の発明において、前記フック部は、前記フックカバー本体に装飾として施された動物の一部を模していることを特徴とする。
【００２１】
この第６の発明では、フック部は、フックカバー本体に装飾として施された動物の一部を模しているので、壁面フックを見た目に違和感がないデザインにすることができる。
【００２２】
第７の発明は、第２〜第６のいずれかの発明において、前記引掛部材が前記フック部の前記軸部に上側から跨ぐように引っ掛けられることを特徴とする。
【００２３】
この第７の発明は、引掛部材が壁面フックの軸部に上側から跨ぐように引っ掛けられるので、引掛部材が軸部の垂直方向に移動するのを防ぐことができる。従って、簡単な構造によってフックカバーを壁面フックに確実に引っ掛けることができる。
【００２４】
第８の発明は、第４〜第７のいずれかの発明において、前記フック部の先端部は、前記フックカバー本体の表面から１０ｍｍ以上５０ｍｍ以下の距離に位置することを特徴とする。
【００２５】
この第８の発明では、フック部の先端部は、フックカバー本体の表面から１０ｍｍ以上５０ｍｍの距離に位置するので、比較的多くの物を吊り下げ又は引っ掛けて使用することができる。
【００２６】
第９の発明は、第２〜第８のいずれかの発明において、前記フックカバー本体及び前記引掛部材は、共に板面が前記壁面フックの前記軸部の軸方向と垂直な板状に形成されており、前記引掛部材の厚さは、前記壁面フックの前記軸部の長さよりも小さく、前記フックカバーは、前記壁面フックの先端側からみたとき、前記壁面フックを完全に覆う大きさであり、且つ、高さが８０ｍｍ以下、幅が５０ｍｍ以下であることを特徴とする。
【００２７】
この第９の発明では、フックカバーは、壁面フックの先端側からみたとき、壁面フックを完全に覆う大きさであることから、壁面フックのデザインを変更することができる。また、引掛部材の厚さは、壁面フックの軸部の長さよりも小さいことから、引掛部材を壁面フックの軸部に引っ掛けても、軸部には物を吊り下げ又は引っ掛けるためのスペースが残る。そして、フックカバーは、高さが８０ｍｍ以下、幅が５０ｍｍ以下であることから、壁面フックの軸部に物を引っ掛けて使用する際に邪魔にならない。その結果、壁面フックのデザインを変更しつつも、壁面フックに物を吊り下げ又は引っ掛けて使用することができる。
【００２８】
第１０の発明は、第１〜第４のいずれかの発明において、前記フックカバー本体の裏面の前記凹部には、緩衝材が設けられていることを特徴とする。
【００２９】
この第１０の発明では、フックカバー本体の裏面の凹部に緩衝材が設けられているので、緩衝材によって先端側フランジ部が引掛部材に押し付けられ、フックカバーが壁面フックからより外れにくくなる。また、フックカバー１０の壁面フック１に対するがたつきを防止できる。
【００３０】
第１１の発明は、第１〜第１０のいずれかの発明に係るフックカバーが、前記壁面フックに取り付けられたことを特徴とする。
【００３１】
この第１１の発明では、第１〜第１０の発明の作用効果を奏するフックカバーを壁面に取り付けることができる。
【発明の効果】
【００３２】
以上説明したように、本発明によると、壁面フックを取り替えることなく、壁面フックのデザインを変更できる。
【図面の簡単な説明】
【００３３】
【図１】図１は、本発明の実施形態に係るフックカバーの取付構造の正面図である。
【図２】図２は、図１に示す取付構造の側面図である。
【図３】図３は、図１に示す取付構造の断面図である。
【図４】図４は、引掛部材を示す。
【図５】図５は、他の実施形態を示す図３相当図である。
【発明を実施するための形態】
【００３４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３５】
図１〜図３は、本発明の実施形態に係るフックカバー１０の取付構造Ｓを示す。この取付構造Ｓでは、フックカバー１０が、建物の壁面Ｗに取付固定された壁面フック１に取り付けられている。
【００３６】
−壁面フック−
図３に示すように、壁面フック１は、壁面Ｗに穿設された取付穴２に螺合して取付固定されたインサート部材３のネジ穴３ａに螺合させて取付固定されている。壁面フック１及びインサート部材３は、共に鋼製である。
【００３７】
取付穴２は、壁面Ｗにおいて、内部に柱などの頑丈な部材が配置されている位置に穿設されており、インサート部材３は、その柱などの頑丈な部材にまで到達するように挿入される。インサート部材３は、例えば、４５５ｍｍ間隔で配置された複数の柱にそれぞれ到達するように取付固定されている。このようにして、インサート部材３及び壁面フック１は、頑丈な柱などによって強固に支持された状態で壁面Ｗに取付固定される。
【００３８】
壁面フック１は、壁面Ｗに対し接離する方向に延びる軸部１ａと、軸部１ａの長さ方向両側部に設けられている先端側フランジ部１ｂ及び基端側フランジ部１ｃと、を有している。両フランジ部１ｂ，１ｃは、軸部１ａよりも径が大きくなっている。
【００３９】
−フックカバー−
フックカバー１０は、壁面Ｗに取付固定されている壁面フック１に引っ掛けられて壁面フック１を覆うように構成されている。後述するように、フックカバー１０には装飾が施されており、フックカバー１０で壁面フック１を覆うことで、壁面フック１のデザインを変更することができる。
【００４０】
フックカバー１０は、壁面フック１を覆い且つそれと外観デザインの異なるフックカバー本体１１と、このフックカバー本体１１を壁面フック１に引っ掛けて取り付けるための引掛部材１２と、を備えている。フックカバー本体１１及び引掛部材１２は、共に金属製の板状とされている。フックカバー本体１１及び引掛部材１２は、それぞれ上部に孔部１１ａ，１２ａが貫通形成されている。引掛部材１２の孔部１２ａはネジ孔であり、フックカバー本体１１の孔部１１ａにビスｖを挿通させ、このビスｖを引掛部材１２の孔部１２ａ（ネジ孔）に螺合締結させることにより、フックカバー本体１１及び引掛部材１２が互いに固定されて一体化されている。
【００４１】
フックカバー本体１１は、楕円の板状とされており、その大きさは、その表面側（図２及び図３において右側）からみたとき、壁面フック１を完全に覆うような大きさである。具体的に、フックカバー本体１１の大きさは、高さが８０ｍｍ以下、幅が５０ｍｍ以下であり、例えば高さ７８ｍｍ、幅４０ｍｍである。フックカバー本体１１の厚さは５ｍｍである。フックカバー本体１１の表面には、装飾として、動物又は動物の一部を模した絵が描かれている。具体的には、図１に示すように、例えば象の頭部の鼻以外の部分を前側から見た絵が描かれている。
【００４２】
フックカバー１０は、フックカバー本体１１の表面側にフックカバー本体１１と一体のフック部１３をさらに備えている。このフック部１３は、表面に施された装飾である象の体の一部、例えば鼻など、を模している。このフック部１３は、フックカバー本体１１下部の表面から略垂直に略水平方向に延びた後に上方に屈曲して略鉛直上側に延びている。フック部１３は、フックカバー本体１１表面から最も離れた部分（先端部）１３ａが、フックカバー本体１１表面から１０ｍｍ以上５０ｍｍ以下の距離に位置する。この先端部１３ａのフックカバー本体１１表面からの距離は、例えば３０ｍｍである。
【００４３】
図３に示すように、フックカバー本体１１の裏面には円形の凹部１１ｂが設けられている。この凹部１１ｂは、その径が壁面フック１の先端側フランジ部１ｂよりも大きく、その深さが先端側フランジ部１ｂの厚さより少し小さいとされている。これによって、先端側フランジ部１ｂの厚さ方向の一部が収容される収納空間を確保できる。
【００４４】
フックカバー本体１１及び引掛部材１２は、それらの間のビスｖに複数（例えば３枚）のワッシャーｗ，ｗ，ｗが挿通されて、ワッシャーｗ，ｗ，ｗを間に挟んでいる構造になっている。これによって、凹部１１ｂに加え、ワッシャーｗ，ｗ，ｗの下方にも、先端側フランジ部１ｂの一部が収容される収納空間を確保できる。
【００４５】
図４は、引掛部材１２を示す。引掛部材１２は、フックカバー本体１１の裏面に一体的に取り付けられている。引掛部材１２は、孔部１２ａにビスｖを挿通させてフックカバー本体１１に取り付けられる取付部１２ｂと、この取付部１２ｂから下方に向かって二股に分かれた引掛部１２ｃと、からなる。引掛部１２ｃは、壁面フック１の軸部１ａの径の大きさと略同じ間隔で二股に分かれている。引掛部材１２は、この引掛部１２ｃが壁面フック１の軸部１ａに上側から跨ぐように引っ掛けられている。
【００４６】
図３に示すように、引掛部１２ｃが壁面フック１の軸部１ａに引っ掛けられている状態において、フックカバー本体１１の凹部１１ｂには、先端側フランジ部１ｂが収容されている。そして、引掛部材１２は、壁面フック１の先端側フランジ部１ｂの裏面に配置されている。
【００４７】
また、引掛部材１２の厚さは、例えば３．２ｍｍである一方、壁面フック１の軸部１ａの長さは、例えば１２ｍｍである。従って、引掛部材１２を軸部１ａに引っ掛けたとき、軸部１ａには長さ方向に略８ｍｍ〜９ｍｍのスペースができる。
【００４８】
以上のように、この実施形態では、壁面フック１とデザインの異なるフックカバー本体１１を備えるフックカバー１０を壁面フック１に引っ掛けることができるので、壁面フック１を取り替えることなく、壁面フック１のデザインを変更できる。また、壁面フック１を壁面Ｗから取り外して保管する必要がないので、壁面フック１を紛失する虞もない。
【００４９】
また、この実施形態では、壁面フック１が軸部１ａを有し、フックカバー１０の引掛部材１２がこの軸部１ａに引っ掛けられるので、フックカバー１０を容易に壁面フック１に引っ掛けることができる。また、壁面フック１が軸部１ａの先端側部に設けられた軸部１ａより大径の先端側フランジ部１ｂを有するので、フックカバー１０が壁面から離れる方向へ移動する場合に、この先端側フランジ部１ｂが引掛部材１２に当接してストッパーとなって、引掛部材１２の軸部１ａへの引っ掛かりが外れるのを防ぐことができる。すなわち、フックカバー１０が壁面フック１から落下するのを防ぐことができる。
【００５０】
また、この実施形態では、フックカバー本体１１の裏面に、凹部１１ｂが設けられているので、フックカバー１０を壁面フック１に引っ掛けた際に、先端側フランジ部１ｂの厚さ方向の一部が収容される収納空間を確保できる。その結果、フックカバー本体１１を凹部１１ｂの深さの分だけ壁面Ｗに近づけて配置することができ、壁面Ｗの美観を保つことができる。
【００５１】
また、この実施形態では、フックカバー本体１１がフック部１３を備えるので、壁面フック１以外にも、フック部１３に物を吊り下げ又は引っ掛けて使用することができる。
【００５２】
また、この実施形態では、フックカバー本体１１は、表面に象の頭部を前側から見た形状など、動物を模した装飾が施されており、フック部１３はその動物の体の一部を模しているので、壁面フック１を見た目に違和感がなく可愛く楽しいデザインにすることができる。
【００５３】
また、この実施形態では、引掛部材１２が壁面フック１の軸部１ａに上側から跨ぐように引っ掛けられるので、引掛部材１２が軸部１ａの垂直方向に移動するのを防ぐことができる。従って、簡単な構造によってフックカバー１０を壁面フック１にワンタッチで確実に引っ掛けることができる。
【００５４】
また、この実施形態では、フック部１３の先端部１３ａは、フックカバー本体１１の表面から１０ｍｍ以上５０ｍｍ以下の距離に位置するので、比較的多くの物を吊り下げ又は引っ掛けて使用することができる。
【００５５】
また、この実施形態では、フックカバー１０は、その表面側からみたとき、壁面フック１を完全に覆う大きさであることから、壁面フック１のデザインを変更することができる。また、引掛部材１２を軸部１ａに引っ掛けたとき、軸部１ａには長さ方向にスペースができるので、フックカバー１０を壁面フック１に引っ掛けた状態でも、軸部１ａに物を吊り下げ又は引っ掛けて使用することができる。そして、フックカバー１０は、高さが８０ｍｍ以下、幅が５０ｍｍ以下であることから、壁面フック１の軸部１ａに物を引っ掛けて使用する際に邪魔にならない。このため、壁面フック１のデザインを変更しつつも、壁面フック１に物を吊り下げ又は引っ掛けて使用することができる。
【００５６】
また、この実施形態では、上記の作用効果を奏するフックカバー１０を壁面Ｗに取り付けることができる。
【００５７】
（その他の実施形態）
上記実施形態において、フックカバー本体１１の形状は、楕円の板状としたが、これに限られない。例えば、立体的に象などの動物を模した形状としてもよい。
【００５８】
また、上記実施形態において、フックカバー本体１１には、表面に象の絵を描くことにより装飾が施されるとしたが、これに限られない。例えば、フックカバー本体１１には表面に犬や猫の絵を描き、又は、フックカバー本体１１を立体的に犬や猫を模した形状とし、フック部１３を犬や猫の尻尾を模したものとしてもよい。
【００５９】
また、上記実施形態において、フックカバー１０は、フックカバー本体１１の表面側にフック部１３を備える構成としたが、これに限られない。例えば、フックカバー本体１１の下側にフック部１３を備えていてもよい。また、フック部１３は必須ではない。
【００６０】
また、上記実施形態において、フックカバー本体１１の大きさは、フックカバー本体１１の表面側からみたとき、壁面フック１を完全に覆うような大きさとしたが、これに限られない。
【００６１】
また、上記実施形態において、フックカバー１０が覆う壁面フック１は、壁面Ｗの取付穴２に螺合したインサート部材３のネジ穴３ａに螺合させて取付固定されているとしたが、これに限られない。
【００６２】
また、上記実施形態において、壁面フック１の先端側フランジ部１ｂは、その厚さ方向の一部がフックカバー本体１１の裏面の凹部１１ｂに収容されているが、図５に示すように、例えばゴム製の、弾力性のある緩衝材ｒが凹部１１ｂ内に少しはみ出すように充填されていてもよい。これによって、引掛部材１２が壁面フック１に係合されたときに、先端側フランジ部１ｂによって緩衝材ｒが圧縮された状態となるので、その緩衝材ｒの反発力により先端側フランジ部１ｂが引掛部材１２に押し付けられ、フックカバー１０が壁面フック１からより外れにくくなる。また、フックカバー１０の壁面フック１に対するがたつきを防止できる。
【００６３】
また、上記実施形態において、フックカバー本体１１の裏面には凹部１１ｂが形成されているとしたが、凹部１１ｂは必須ではない。
【産業上の利用可能性】
【００６４】
本発明は、フックカバー及びその取付構造として利便性が高く、極めて有用であり、産業上の利用可能性が高い。
【符号の説明】
【００６５】
Ｓ        取付構造
Ｗ        壁面
１        壁面フック
１ａ      軸部
１ｂ      先端側フランジ部
１ｃ      基端側フランジ部
２        取付穴
３        インサート部材
３ａ      ネジ穴
１０      フックカバー
１１      フックカバー本体
１１ｂ    凹部
１２      引掛部材
１３      フック部
１３ａ    先端部
【図１】
2020018441.tif 000003
【図２】
2020018441.tif 000004
【図３】
2020018441.tif 000005
【図４】
2020018441.tif 000006
【図５】
2020018441.tif 000007
【手続補正書】
【提出日】令和1年6月10日(2019.6.10)
【手続補正１】
【補正対象書類名】明細書
【補正対象項目名】全文
【補正方法】変更
【補正の内容】
【発明の詳細な説明】
【技術分野】
【０００１】
本発明は、壁面に取り付けられた壁面フックを覆うフックカバーとその取付構造に関する。
【背景技術】
【０００２】
従来より、建物の壁面を収納領域等として利用する技術として、例えば特許文献１に示されるものが提案されている。
【０００３】
特許文献１の壁掛けタイプのマガジンラックでは、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにしている。
【０００４】
特許文献１のマガジンラックは、設置するためにネジ等で壁面に穴をあけることとなり、マガジンラックが一旦取り付けられると、それらを取り外した後にも壁に穴があいたままとなるので、取り外した後に建物の美観が損なわれてしまう。それを避けるには、壁面にあいた穴を元通りに埋める修復工事が必要となる。
【０００５】
そこで、本発明の出願人は、特許文献２において、建物の美観を保ちつつ、その建物の一部である壁などに、その壁などの建物の一部を多様な用途に利用するために、建物の施工時に壁などに挿入しておくことができるインサート部材と、物を引っ掛けるためのフック部材（以下、壁面フックという）とを分離できるようにしたハンガーフックを提案している。
【先行技術文献】
【特許文献】
【０００６】
【特許文献１】特開平１１−１５５６５８号公報
【特許文献２】特願２０１７−２５４５０８明細書及び図面
【発明の概要】
【発明が解決しようとする課題】
【０００７】
ところで、上記の壁面フックを壁面に取り付けて使用する場合、壁面フックのデザインを変えて、壁面の見映えを変えたい使用状況が想定される。しかし、特許文献２では、壁面フックのデザインを変える場合には、新たなデザインの壁面フックを別途に製造する必要がある。また、壁面フックを異なるデザインのものに取り替えた場合、元の壁面フックを別途保管しなければならず、元の壁面フックを紛失してしまう虞がある。
【０００８】
本発明は、斯かる点に鑑みてなされたものであり、その目的は、壁面フックを取り替えることなく、壁面フックのデザインを変更できるようにすることである。
【課題を解決するための手段】
【０００９】
上記の目的を達成するために、この発明では、壁面フックとは見た目の異なるフックカバーを、壁面フックに引っ掛けることができるようにした。
【００１０】
具体的には、第１の発明は、建物の壁面に取付固定され、該壁面から突出して壁面に対し接離する方向に延びる軸部の長さ方向の少なくとも先端部に該軸部よりも大径の先端側フランジ部が設けられた壁面フックに対し、引っ掛けられて該壁面フックを覆うフックカバーであって、前記壁面フックと異なるフックカバー本体と、前記フックカバー本体の裏面に取り付けられ、前記壁面フックに引っ掛けられる引掛部材と、を備える。そして、前記引掛部材は、フックカバー本体に取り付けられる上部の取付部と、この取付部から下方に向かって二股状に分かれた引掛部とを有しており、前記引掛部材は前記軸部に対し、前記引掛部が二股状のままで軸部を上側から跨ぎかつ該引掛部とフックカバー本体との間に前記先端側フランジ部を挟み込んだ状態で引っ掛けられていることを特徴とする。
【００１１】
この第１の発明では、壁面フックと異なるフックカバー本体を備えるフックカバーを壁面フックに引っ掛けることができるので、壁面フックのデザインを変えるときには、壁面フックを壁面に取り付けたままで、その壁面フックにフックカバーを取り付けるだけでよく、壁面フックを取り替えることなく、壁面フックのデザインを変更できる。また、壁面フックを壁面から取り外して保管する必要がないので、壁面フックを紛失する虞もない。
【００１２】
また、壁面フックが軸部を有し、フックカバーの引掛部材がこの軸部に引っ掛けられるので、フックカバーを容易に壁面フックに引っ掛けることができる。また、壁面フックが軸部の先端側部に設けられて軸部より大径の先端側フランジ部を有するので、この先端側フランジ部がストッパーとなって、引掛部材の軸部への引っ掛かりが外れるのを防ぐことができる。すなわち、フックカバーが壁面フックから落下するのを防ぐことができる。
【００１３】
そして、引掛部材は、フックカバー本体に取り付けられる上部の取付部から下方に向かって二股状に分かれた引掛部を有し、壁面フックの軸部に対し、その引掛部が二股状のままで軸部を上側から跨ぎかつ引掛部とフックカバー本体との間に前記先端側フランジ部を挟み込んだ状態で引っ掛けられているので、引掛部材が軸部の直交方向である上側や、軸部上で壁面から離れる方向に移動するのを防ぐことができる。従って、簡単な構造によってフックカバーを壁面フックに確実に引っ掛けることができる。
【００１４】
第２の発明は、第１の発明において、前記壁面フックは、壁面の取付穴に取付固定されているインサート部材のネジ穴に螺合されて取付固定されており、前記軸部の基端側に軸部よりも大径の基端側フランジ部が設けられていることを特徴とする。
【００１５】
第３の発明は、第１又は第２の発明において、前記フックカバー本体の裏面には、前記壁面フックの前記先端側フランジ部の少なくとも一部を収納可能な凹部が設けられていることを特徴とする。
【００１６】
この第３の発明では、フックカバー本体の裏面に、壁面フックの先端側フランジ部の少なくとも一部を収納可能な凹部が設けられているので、フックカバーを壁面フックに引っ掛けた際に、先端側フランジ部の少なくとも一部が収容される収納空間を確保できる。その結果、フックカバー本体を凹部の深さの分だけ壁面に近づけて配置することができ、壁面の美観を保つことができる。
【００１７】
第４の発明は、第３の発明において、前記フックカバー本体の裏面の前記凹部には、緩衝材が設けられていることを特徴とする。
【００１８】
この第４の発明では、フックカバー本体の裏面の凹部に緩衝材が設けられているので、緩衝材によって先端側フランジ部が引掛部材に押し付けられ、フックカバーが壁面フックからより外れにくくなる。また、フックカバーの壁面フックに対するがたつきを防止できる。
【００１９】
第５の発明は、第１〜第４のいずれか１つの発明において、前記フックカバー本体は表面側又は下側にフック部をさらに備えることを特徴とする。
【００２０】
この第５の発明では、フックカバー本体がフック部を備えるので、壁面フックにフックカバーを引っ掛けた状態でも、そのフック部に物を吊り下げ又は引っ掛けて使用することができる。
【００２１】
第６の発明は、第５の発明において、前記フック部は、前記フックカバー本体に装飾として施された動物の一部を模していることを特徴とする。
【００２２】
この第６の発明では、フック部は、フックカバー本体に装飾として施された動物の一部を模しているので、壁面フックを見た目に違和感がないデザインにすることができる。
【００２３】
第７の発明は、第５又は第６の発明において、前記フック部の先端部は、前記フックカバー本体の表面から１０ｍｍ以上５０ｍｍ以下の距離に位置することを特徴とする。
【００２４】
この第７の発明では、フック部の先端部は、フックカバー本体の表面から１０ｍｍ以上５０ｍｍの距離に位置するので、比較的多くの物を吊り下げ又は引っ掛けて使用することができる。
【００２５】
第８の発明は、第１〜第７のいずれか１つの発明において、前記フックカバー本体は、表面に動物又は動物の一部を模した装飾が施されていることを特徴とする。
【００２６】
この第８の発明では、フックカバー本体は、表面に動物又は動物の一部を模した装飾が施されているので、壁面フックを可愛くて楽しいデザインにすることができる。
【００２７】
第９の発明は、第１〜第８のいずれか１つの発明において、前記フックカバー本体及び前記引掛部材は、共に板面が前記壁面フックの前記軸部の軸方向と垂直な板状に形成されており、前記引掛部材の厚さは、前記壁面フックの前記軸部の長さよりも小さく、前記フックカバーは、前記壁面フックの先端側からみたとき、前記壁面フックを完全に覆う大きさであり、且つ、高さが８０ｍｍ以下、幅が５０ｍｍ以下であることを特徴とする。
【００２８】
この第９の発明では、フックカバーは、壁面フックの先端側からみたとき、壁面フックを完全に覆う大きさであることから、壁面フックのデザインを変更することができる。また、引掛部材の厚さは、壁面フックの軸部の長さよりも小さいことから、引掛部材を壁面フックの軸部に引っ掛けても、軸部には物を吊り下げ又は引っ掛けるためのスペースが残る。そして、フックカバーは、高さが８０ｍｍ以下、幅が５０ｍｍ以下であることから、壁面フックの軸部に物を引っ掛けて使用する際に邪魔にならない。その結果、壁面フックのデザインを変更しつつも、壁面フックに物を吊り下げ又は引っ掛けて使用することができる。
【００２９】
第１０の発明は、第１〜第９のいずれか１つの発明に係るフックカバーが、前記壁面フックに取り付けられたことを特徴とする。
【００３０】
この第１０の発明では、第１〜第９の発明の作用効果を奏するフックカバーを壁面に取り付けることができる。
【発明の効果】
【００３１】
以上説明したように、本発明によると、壁面フックを取り替えることなく、壁面フックのデザインを変更できる。
【図面の簡単な説明】
【００３２】
【図１】図１は、本発明の実施形態に係るフックカバーの取付構造の正面図である。
【図２】図２は、図１に示す取付構造の側面図である。
【図３】図３は、図１に示す取付構造の断面図である。
【図４】図４は、引掛部材を示す。
【図５】図５は、他の実施形態を示す図３相当図である。
【発明を実施するための形態】
【００３３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３４】
図１〜図３は、本発明の実施形態に係るフックカバー１０の取付構造Ｓを示す。この取付構造Ｓでは、フックカバー１０が、建物の壁面Ｗに取付固定された壁面フック１に取り付けられている。
【００３５】
−壁面フック−
図３に示すように、壁面フック１は、壁面Ｗに穿設された取付穴２に螺合して取付固定されたインサート部材３のネジ穴３ａに螺合させて取付固定されている。壁面フック１及びインサート部材３は、共に鋼製である。
【００３６】
取付穴２は、壁面Ｗにおいて、内部に柱などの頑丈な部材が配置されている位置に穿設されており、インサート部材３は、その柱などの頑丈な部材にまで到達するように挿入される。インサート部材３は、例えば、４５５ｍｍ間隔で配置された複数の柱にそれぞれ到達するように取付固定されている。このようにして、インサート部材３及び壁面フック１は、頑丈な柱などによって強固に支持された状態で壁面Ｗに取付固定される。
【００３７】
壁面フック１は、壁面Ｗに対し接離する方向に延びる軸部１ａと、軸部１ａの長さ方向両側部に設けられている先端側フランジ部１ｂ及び基端側フランジ部１ｃと、を有している。両フランジ部１ｂ，１ｃは、軸部１ａよりも径が大きくなっている。
【００３８】
−フックカバー−
フックカバー１０は、壁面Ｗに取付固定されている壁面フック１に引っ掛けられて壁面フック１を覆うように構成されている。後述するように、フックカバー１０には装飾が施されており、フックカバー１０で壁面フック１を覆うことで、壁面フック１のデザインを変更することができる。
【００３９】
フックカバー１０は、壁面フック１を覆い且つそれと外観デザインの異なるフックカバー本体１１と、このフックカバー本体１１を壁面フック１に引っ掛けて取り付けるための引掛部材１２と、を備えている。フックカバー本体１１及び引掛部材１２は、共に金属製の板状とされている。フックカバー本体１１及び引掛部材１２は、それぞれ上部に孔部１１ａ，１２ａが貫通形成されている。引掛部材１２の孔部１２ａはネジ孔であり、フックカバー本体１１の孔部１１ａにビスｖを挿通させ、このビスｖを引掛部材１２の孔部１２ａ（ネジ孔）に螺合締結させることにより、フックカバー本体１１及び引掛部材１２が互いに固定されて一体化されている。
【００４０】
フックカバー本体１１は、楕円の板状とされており、その大きさは、その表面側（図２及び図３において右側）からみたとき、壁面フック１を完全に覆うような大きさである。具体的に、フックカバー本体１１の大きさは、高さが８０ｍｍ以下、幅が５０ｍｍ以下であり、例えば高さ７８ｍｍ、幅４０ｍｍである。フックカバー本体１１の厚さは５ｍｍである。フックカバー本体１１の表面には、装飾として、動物又は動物の一部を模した絵が描かれている。具体的には、図１に示すように、例えば象の頭部の鼻以外の部分を前側から見た絵が描かれている。
【００４１】
フックカバー１０は、フックカバー本体１１の表面側にフックカバー本体１１と一体のフック部１３をさらに備えている。このフック部１３は、表面に施された装飾である象の体の一部、例えば鼻など、を模している。このフック部１３は、フックカバー本体１１下部の表面から略垂直に略水平方向に延びた後に上方に屈曲して略鉛直上側に延びている。フック部１３は、フックカバー本体１１表面から最も離れた部分（先端部）１３ａが、フックカバー本体１１表面から１０ｍｍ以上５０ｍｍ以下の距離に位置する。この先端部１３ａのフックカバー本体１１表面からの距離は、例えば３０ｍｍである。
【００４２】
図３に示すように、フックカバー本体１１の裏面には円形の凹部１１ｂが設けられている。この凹部１１ｂは、その径が壁面フック１の先端側フランジ部１ｂよりも大きく、その深さが先端側フランジ部１ｂの厚さより少し小さいとされている。これによって、先端側フランジ部１ｂの厚さ方向の一部が収容される収納空間を確保できる。
【００４３】
フックカバー本体１１及び引掛部材１２は、それらの間のビスｖに複数（例えば３枚）のワッシャーｗ，ｗ，ｗが挿通されて、ワッシャーｗ，ｗ，ｗを間に挟んでいる構造になっている。これによって、凹部１１ｂに加え、ワッシャーｗ，ｗ，ｗの下方にも、先端側フランジ部１ｂの一部が収容される収納空間を確保できる。
【００４４】
図４は、引掛部材１２を示す。引掛部材１２は、フックカバー本体１１の裏面に一体的に取り付けられている。引掛部材１２は、孔部１２ａにビスｖを挿通させてフックカバー本体１１に取り付けられる取付部１２ｂと、この取付部１２ｂから下方に向かって二股に分かれた引掛部１２ｃと、からなる。引掛部１２ｃは、壁面フック１の軸部１ａの径の大きさと略同じ間隔で二股に分かれている。引掛部材１２は、この引掛部１２ｃが壁面フック１の軸部１ａに上側から跨ぐように引っ掛けられている。
【００４５】
図３に示すように、引掛部１２ｃが壁面フック１の軸部１ａに引っ掛けられている状態において、フックカバー本体１１の凹部１１ｂには、先端側フランジ部１ｂが収容されている。そして、引掛部材１２は、壁面フック１の先端側フランジ部１ｂの裏面に配置されている。
【００４６】
また、引掛部材１２の厚さは、例えば３．２ｍｍである一方、壁面フック１の軸部１ａの長さは、例えば１２ｍｍである。従って、引掛部材１２を軸部１ａに引っ掛けたとき、軸部１ａには長さ方向に略８ｍｍ〜９ｍｍのスペースができる。
【００４７】
以上のように、この実施形態では、壁面フック１とデザインの異なるフックカバー本体１１を備えるフックカバー１０を壁面フック１に引っ掛けることができるので、壁面フック１を取り替えることなく、壁面フック１のデザインを変更できる。また、壁面フック１を壁面Ｗから取り外して保管する必要がないので、壁面フック１を紛失する虞もない。
【００４８】
また、この実施形態では、壁面フック１が軸部１ａを有し、フックカバー１０の引掛部材１２がこの軸部１ａに引っ掛けられるので、フックカバー１０を容易に壁面フック１に引っ掛けることができる。また、壁面フック１が軸部１ａの先端側部に設けられた軸部１ａより大径の先端側フランジ部１ｂを有するので、フックカバー１０が壁面から離れる方向へ移動する場合に、この先端側フランジ部１ｂが引掛部材１２に当接してストッパーとなって、引掛部材１２の軸部１ａへの引っ掛かりが外れるのを防ぐことができる。すなわち、フックカバー１０が壁面フック１から落下するのを防ぐことができる。
【００４９】
また、この実施形態では、フックカバー本体１１の裏面に、凹部１１ｂが設けられているので、フックカバー１０を壁面フック１に引っ掛けた際に、先端側フランジ部１ｂの厚さ方向の一部が収容される収納空間を確保できる。その結果、フックカバー本体１１を凹部１１ｂの深さの分だけ壁面Ｗに近づけて配置することができ、壁面Ｗの美観を保つことができる。
【００５０】
また、この実施形態では、フックカバー本体１１がフック部１３を備えるので、壁面フック１以外にも、フック部１３に物を吊り下げ又は引っ掛けて使用することができる。
【００５１】
また、この実施形態では、フックカバー本体１１は、表面に象の頭部を前側から見た形状など、動物を模した装飾が施されており、フック部１３はその動物の体の一部を模しているので、壁面フック１を見た目に違和感がなく可愛く楽しいデザインにすることができる。
【００５２】
また、この実施形態では、引掛部材１２が壁面フック１の軸部１ａに上側から跨ぐように引っ掛けられるので、引掛部材１２が軸部１ａの垂直方向に移動するのを防ぐことができる。従って、簡単な構造によってフックカバー１０を壁面フック１にワンタッチで確実に引っ掛けることができる。
【００５３】
また、この実施形態では、フック部１３の先端部１３ａは、フックカバー本体１１の表面から１０ｍｍ以上５０ｍｍ以下の距離に位置するので、比較的多くの物を吊り下げ又は引っ掛けて使用することができる。
【００５４】
また、この実施形態では、フックカバー１０は、その表面側からみたとき、壁面フック１を完全に覆う大きさであることから、壁面フック１のデザインを変更することができる。また、引掛部材１２を軸部１ａに引っ掛けたとき、軸部１ａには長さ方向にスペースができるので、フックカバー１０を壁面フック１に引っ掛けた状態でも、軸部１ａに物を吊り下げ又は引っ掛けて使用することができる。そして、フックカバー１０は、高さが８０ｍｍ以下、幅が５０ｍｍ以下であることから、壁面フック１の軸部１ａに物を引っ掛けて使用する際に邪魔にならない。このため、壁面フック１のデザインを変更しつつも、壁面フック１に物を吊り下げ又は引っ掛けて使用することができる。
【００５５】
また、この実施形態では、上記の作用効果を奏するフックカバー１０を壁面Ｗに取り付けることができる。
【００５６】
（その他の実施形態）
上記実施形態において、フックカバー本体１１の形状は、楕円の板状としたが、これに限られない。例えば、立体的に象などの動物を模した形状としてもよい。
【００５７】
また、上記実施形態において、フックカバー本体１１には、表面に象の絵を描くことにより装飾が施されるとしたが、これに限られない。例えば、フックカバー本体１１には表面に犬や猫の絵を描き、又は、フックカバー本体１１を立体的に犬や猫を模した形状とし、フック部１３を犬や猫の尻尾を模したものとしてもよい。
【００５８】
また、上記実施形態において、フックカバー１０は、フックカバー本体１１の表面側にフック部１３を備える構成としたが、これに限られない。例えば、フックカバー本体１１の下側にフック部１３を備えていてもよい。また、フック部１３は必須ではない。
【００５９】
また、上記実施形態において、フックカバー本体１１の大きさは、フックカバー本体１１の表面側からみたとき、壁面フック１を完全に覆うような大きさとしたが、これに限られない。
【００６０】
また、上記実施形態において、フックカバー１０が覆う壁面フック１は、壁面Ｗの取付穴２に螺合したインサート部材３のネジ穴３ａに螺合させて取付固定されているとしたが、これに限られない。
【００６１】
また、上記実施形態において、壁面フック１の先端側フランジ部１ｂは、その厚さ方向の一部がフックカバー本体１１の裏面の凹部１１ｂに収容されているが、図５に示すように、例えばゴム製の、弾力性のある緩衝材ｒが凹部１１ｂ内に少しはみ出すように充填されていてもよい。これによって、引掛部材１２が壁面フック１に係合されたときに、先端側フランジ部１ｂによって緩衝材ｒが圧縮された状態となるので、その緩衝材ｒの反発力により先端側フランジ部１ｂが引掛部材１２に押し付けられ、フックカバー１０が壁面フック１からより外れにくくなる。また、フックカバー１０の壁面フック１に対するがたつきを防止できる。
【００６２】
また、上記実施形態において、フックカバー本体１１の裏面には凹部１１ｂが形成されているとしたが、凹部１１ｂは必須ではない。
【産業上の利用可能性】
【００６３】
本発明は、フックカバー及びその取付構造として利便性が高く、極めて有用であり、産業上の利用可能性が高い。
【符号の説明】
【００６４】
Ｓ        取付構造
Ｗ        壁面
１        壁面フック
１ａ      軸部
１ｂ      先端側フランジ部
１ｃ      基端側フランジ部
２        取付穴
３        インサート部材
３ａ      ネジ穴
１０      フックカバー
１１      フックカバー本体
１１ｂ    凹部
１２      引掛部材
１３      フック部
１３ａ    先端部
【手続補正２】
【補正対象書類名】特許請求の範囲
【補正対象項目名】全文
【補正方法】変更
【補正の内容】
【特許請求の範囲】
【請求項１】
建物の壁面に取付固定され、該壁面から突出して壁面に対し接離する方向に延びる軸部の長さ方向の少なくとも先端部に該軸部よりも大径の先端側フランジ部が設けられた壁面フックに対し、引っ掛けられて該壁面フックを覆うフックカバーであって、
前記壁面フックと異なるフックカバー本体と、
前記フックカバー本体の裏面に取り付けられ、前記壁面フックに引っ掛けられる引掛部材と、を備え、
前記引掛部材は、フックカバー本体に取り付けられる上部の取付部と、該取付部から下方に向かって二股状に分かれた引掛部とを有しており、
前記引掛部材は前記軸部に対し、前記引掛部が二股状のままで軸部を上側から跨ぎかつ該引掛部とフックカバー本体との間に前記先端側フランジ部を挟み込んだ状態で引っ掛けられていることを特徴とするフックカバー。
【請求項２】
請求項１に記載のフックカバーにおいて、
前記壁面フックは、壁面の取付穴に取付固定されているインサート部材のネジ穴に螺合されて取付固定されており、
前記軸部の基端側に軸部よりも大径の基端側フランジ部が設けられていることを特徴とするフックカバー。
【請求項３】
請求項１又は２に記載のフックカバーにおいて、
前記フックカバー本体の裏面には、前記壁面フックの前記先端側フランジ部の少なくとも一部を収納可能な凹部が設けられていることを特徴とするフックカバー。
【請求項４】
請求項３に記載のフックカバーにおいて、
前記フックカバー本体の裏面の前記凹部には、緩衝材が設けられていることを特徴とするフックカバー。
【請求項５】
請求項１〜４のいずれか１項に記載のフックカバーにおいて、
前記フックカバー本体は表面側又は下側にフック部をさらに備えることを特徴とするフックカバー。
【請求項６】
請求項５に記載のフックカバーにおいて、
前記フック部は、前記フックカバー本体に装飾として施された動物の一部を模していることを特徴とするフックカバー。
【請求項７】
請求項５又は６に記載のフックカバーにおいて、
前記フック部の先端部は、前記フックカバー本体の表面から１０ｍｍ以上５０ｍｍ以下の距離に位置することを特徴とするフックカバー。
【請求項８】
請求項１〜７のいずれか１項に記載のフックカバーにおいて、
前記フックカバー本体は、表面に動物又は動物の一部を模した装飾が施されていることを特徴とするフックカバー。
【請求項９】
請求項１〜８のいずれか１項に記載のフックカバーにおいて、
前記フックカバー本体及び前記引掛部材は、共に板面が前記壁面フックの前記軸部の軸方向と垂直な板状に形成されており、前記引掛部材の厚さは、前記壁面フックの前記軸部の長さよりも小さく、
前記フックカバーは、その表面側からみたとき、前記壁面フックを完全に覆う大きさであり、且つ、高さが８０ｍｍ以下、幅が５０ｍｍ以下であることを特徴とするフックカバー。
【請求項１０】
請求項１〜９のいずれか１項に記載のフックカバーが、前記壁面フックに取り付けられたことを特徴とするフックカバーの取付構造。